(57)【要約】【課題】  始動チャッカーへの入球率がステージ毎に異ならないようにした遊技機を提供する。【解決手段】  パチンコ機１の遊技球ステージＳは、磁石Ｍｇで吸着した遊技球Ｂａを所定解放位置で解放する回転プレート２０，２１を有する遊技球保持解放機構６０ａ，６０ｂと、所定解放位置で解放された遊技球Ｂａを所定受入れ位置の球落下孔１９ａに導入して始動チャッカー１０に比較的高い入球率で入球させる回転円盤部材１９を有する遊技球振り分け機構６３と、磁石Ｍｇが所定解放位置に到達するタイミングと球落下孔１９ａが所定受入れ位置に到達するタイミングとを同期させるべく回転プレート２０，２１及び回転円盤部材１９を回転駆動する回転駆動機構６２とを備える。【選択図】      図２
2005270404.tif 000002
【特許請求の範囲】
【請求項１】
遊技盤面部左右の少なくとも一側にワープ導入口を有し、且つ主に該ワープ導入口からの遊技球を受ける遊技球ステージを有するステージユニットと、前記遊技球ステージの下方に位置して上方に開口する始動チャッカーと、を備え、前記遊技盤面部に打ち出された遊技球を前記始動チャッカーに、前記遊技球ステージを介して入球させ又は前記遊技球ステージを介さず直接に入球させ得るように構成した遊技機であって、
前記遊技球ステージは、
所定部に備えた磁石をステージ床面に対向させつつ一定速度で連続回転し、前記磁石によって吸着した遊技球を所定解放位置で解放する第１回転部材を有する遊技球保持解放機構と、
前記第１回転部材に同期した形で一定速度で連続回転し、前記所定解放位置で解放された遊技球を、所定受入れ位置に移動した遊技球特定導入部に導入して前記始動チャッカーに比較的高い入球率で入球させ、前記所定解放位置での解放に関与しない遊技球を遊技球放出部で受け入れて前記始動チャッカーとは異なる方向に放出してなる第２回転部材を有する遊技球振り分け機構と、
前記磁石が前記所定解放位置に到達するタイミングと前記遊技球特定導入部が前記所定受入れ位置に到達するタイミングとを同期させるように前記第１及び第２回転部材を回転駆動する回転駆動機構と、を備えてなる、
ことを特徴とする遊技機。
【請求項２】
前記所定解放位置に対応して、前記磁石に吸着された前記遊技球を前記ステージ床面に落下させる遊技球落下部材を備え、
前記第１回転部材は、回転軸を中心とする所定角度間隔で前記磁石が固定された回転プレートであり、前記磁石にて吸着した遊技球を前記所定解放位置で前記遊技球落下部材によって落下させられてなる、
ことを特徴とする請求項１に記載の遊技機。
【請求項３】
前記遊技球落下部材は、
前記磁石によって前記第１回転部材の下側に吸着された遊技球を落下させる第１落下部材と、
前記磁石によって前記第１回転部材の上側に吸着された遊技球を落下させる第２落下部材と、を備えてなる、
ことを特徴とする請求項１又は２に記載の遊技機。
【請求項４】
前記ステージ床面に、前記所定解放位置で解放された遊技球を前記第２回転部材の前記遊技球特定導入部に案内するガイドリブが設けられてなる、
ことを特徴とする請求項１ないし３のうち何れか１項に記載の遊技機。
【請求項５】
前記第２回転部材の下側には、前記始動チャッカーに遊技球を導く遊技球導入路が設けられ、
前記遊技球特定導入部は、前記遊技球導入路に連通する連通孔を備えてなる、
ことを特徴とする請求項１ないし４のうち何れか１項に記載の遊技機。
【請求項６】
前記回転駆動機構は、
前記第１回転部材に連結された第１歯車と、
前記第２回転部材に連結された第２歯車と、
前記第１歯車及び前記第２歯車を所定のギヤ比にて連動連結する第３歯車と、
前記第１ないし第３歯車に回転力を付与する駆動モータと、を備えてなる、
ことを特徴とする請求項１ないし５のうち何れか１項に記載の遊技機。
【請求項７】
前記ステージ床面は、前記第１回転部材側から前記第２回転部材側に向かって下降するように傾斜されてなる、
ことを特徴とする請求項１ないし６のうち何れか１項に記載の遊技機。
【請求項８】
前記ワープ導入口及び前記第１回転部材は、前記遊技球ステージの左右両側に夫々設けられてなる、
ことを特徴とする請求項１ないし７のうち何れか１項に記載の遊技機。
【発明の詳細な説明】
【技術分野】
【０００１】
本発明は、パチンコ機等の遊技機に関し、詳しくは遊技球ステージから始動チャッカーに向けた遊技球の流れを改善して遊技性を向上させた遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等からなる特別図柄表示画面上で所定の演出表示が行われる。大当たりの発生時には、アタッカーと呼ばれる大入賞口が開放し、入球に対応して多量の遊技球が払い出される状態となる。
【０００４】
上述のような従来のパチンコ機において、遊技盤面部の中央部分にセンター飾りを備え、このセンター飾りの左右側部に第１及び第２のワープ通路を備え、これらワープ通路から入球した遊技球を始動チャッカー側に導くように転動させるステージを備えたものが存在する（例えば、特許文献２参照）。
【０００５】
近年、上記のようなステージを有するパチンコ機にあって、当該ステージにおける所定の位置に球導入口を形成しておき、ワープ通路から入球した遊技球の一部が上記球導入口への対応位置に偶然的に転動して該球導入口に落下した際、当該遊技球を略１００％の確率で始動チャッカーに入球し得るように案内する構成を備えたものも存在する（例えば、特許文献３参照）。
【０００６】
【特許文献１】特開２００３−２３６２１０号公報
【特許文献２】特開２００１−３２７６７２号公報
【特許文献３】特開２０００−５１４４８号公報
【発明の開示】
【発明が解決しようとする課題】
【０００７】
しかし、上記特許文献３に記載されるようなステージは、その殆どが合成樹脂（プラスチック）によって成形されるため、個々のステージ形状の歪み具合に微妙な差異が生じ、金属製に比して製品の不均一（個体差）が多く現れる傾向にある。これに起因し、夫々にステージを備えるパチンコ機毎に、ステージ上で球導入口への導入率にバラツキが生じ、始動チャッカーへの入球率にバラツキが出る現象（所謂ステージのクセ）が生じて、寝かせ（パチンコ台の傾き加減）を適正に調整しているにも拘わらず、ステージから始動チャッカーへの入球率に格差が生じる不都合を招来し易い。
【０００８】
そこで本発明は、同種のステージを備えた遊技機ではどの台で遊技する場合であっても、或る特定の条件下になった遊技球は比較的高い入球率で始動チャッカーに入球させ得るようにして、始動チャッカーへの入球率がステージ毎に異ならないように構成し、もって上述した課題を解決した遊技機を提供することを目的とするものである。
【課題を解決するための手段】
【０００９】
請求項１に係る本発明は（例えば図１ないし図１３参照）、遊技盤面部（７）左右の少なくとも一側にワープ導入口（１７）を有し、且つ主に該ワープ導入口（１７）からの遊技球（Ｂａ）を受ける遊技球ステージ（Ｓ）を有するステージユニット（６）と、前記遊技球ステージ（Ｓ）の下方に位置して上方に開口する始動チャッカー（１０）と、を備え、前記遊技盤面部（７）に打ち出された遊技球（Ｂａ）を前記始動チャッカー（１０）に、前記遊技球ステージ（Ｓ）を介して入球させ又は前記遊技球ステージ（Ｓ）を介さず直接に入球させ得るように構成した遊技機（１）であって、
前記遊技球ステージ（Ｓ）は、
所定部に備えた磁石（Ｍｇ）をステージ床面（２５）に対向させつつ一定速度で連続回転し、前記磁石（Ｍｇ）によって吸着した遊技球（Ｂａ）を所定解放位置で解放する第１回転部材（２０，２１）を有する遊技球保持解放機構（６０ａ，６０ｂ）と、
前記第１回転部材（２０，２１）に同期した形で一定速度で連続回転し、前記所定解放位置で解放された遊技球（Ｂａ）を、所定受入れ位置に移動した遊技球特定導入部（１９ａ）に導入して前記始動チャッカー（１０）に比較的高い入球率で入球させ、前記所定解放位置での解放に関与しない遊技球（Ｂａ）を遊技球放出部（１９ｂ）で受け入れて前記始動チャッカー（１０）とは異なる方向に放出してなる第２回転部材（１９）を有する遊技球振り分け機構（６３）と、
前記磁石（Ｍｇ）が前記所定解放位置に到達するタイミングと前記遊技球特定導入部（１９ａ）が前記所定受入れ位置に到達するタイミングとを同期させるように前記第１及び第２回転部材（２０，２１，１９）を回転駆動する回転駆動機構（６２）と、を備えてなる、
ことを特徴とする遊技機（１）にある。
【００１０】
なお、本発明における「ワープ導入」という語句は、遊技盤面部に打ち出された遊技球を、当該遊技盤面部の比較的下側に位置する道釘等を経ることなく、始動チャッカーの上に導くことを意味する概念である。また、上記「道釘」とは、遊技盤面部において始動チャッカー左右に打ち込まれた複数本の障害釘の列を意味するもので、上方から転動落下してきた遊技球を始動チャッカー方向に導く役割を担っている。
【００１１】
請求項２に係る本発明（例えば図２，図４，図５及び図８〜図１３参照）は、前記所定解放位置に対応して、前記磁石（Ｍｇ）に吸着された前記遊技球（Ｂａ）を前記ステージ床面（２５）に落下させる遊技球落下部材（３２，２３）を備え、
前記第１回転部材は、回転軸（３８ａ，３９ａ）を中心とする所定角度間隔で前記磁石（Ｍａ）が固定された回転プレート（２０，２１）であり、前記磁石（Ｍｇ）にて吸着した遊技球（Ｂａ）を前記所定解放位置で前記遊技球落下部材（３２，２３）によって落下させられてなる、
ことを特徴とする請求項１に記載の遊技機（１）にある。
【００１２】
請求項３に係る本発明（例えば図２，図４，図５及び図８〜図１３参照）は、前記遊技球落下部材（３２，２３）が、
前記磁石（Ｍｇ）によって前記第１回転部材（２０，２１）の下側に吸着された遊技球（Ｂａ）を落下させる第１落下部材（３２）と、
前記磁石（Ｍｇ）によって前記第１回転部材（２０，２１）の上側に吸着された遊技球（Ｂａ）を落下させる第２落下部材（２３）と、を備えてなる、
ことを特徴とする請求項１又は２に記載の遊技機（１）にある。
【００１３】
請求項４に係る本発明（例えば図２，図５，図６及び図８〜図１３参照））は、前記ステージ床面（２５）に、前記所定解放位置で解放された遊技球（Ｂａ）を前記第２回転部材（１９）の前記遊技球特定導入部（１９ａ）に案内するガイドリブ（５２）が設けられてなる、
ことを特徴とする請求項１ないし３のうち何れか１項に記載の遊技機（１）にある。
【００１４】
請求項５に係る本発明（例えば図３〜図５参照）は、前記第２回転部材（１９）の下側には、前記始動チャッカー（１０）に遊技球（Ｂａ）を導く遊技球導入路（３３）が設けられ、
前記遊技球特定導入部は、前記遊技球導入路（３３）に連通する連通孔（１９ａ）を備えてなる、
ことを特徴とする請求項１ないし４のうち何れか１項に記載の遊技機（１）にある。
【００１５】
請求項６に係る本発明（例えば図７参照）は、前記回転駆動機構（６２）が、
前記第１回転部材（２０，２１）に連結された第１歯車（３８，３９）と、
前記第２回転部材（１９）に連結された第２歯車（４０）と、
前記第１歯車（３８，３９）及び前記第２歯車（４０）を所定のギヤ比にて連動連結する第３歯車（４１，４２，４３）と、
前記第１ないし第３歯車（３８〜４３）に回転力を付与する駆動モータ（３５）と、を備えてなる、
ことを特徴とする請求項１ないし５のうち何れか１項に記載の遊技機（１）にある。
【００１６】
請求項７に係る本発明（例えば図２及び図５参照）は、前記ステージ床面（２５）が、前記第１回転部材（２０，２１）側から前記第２回転部材（１９）側に向かって下降するように傾斜されてなる、
ことを特徴とする請求項１ないし６のうち何れか１項に記載の遊技機（１）にある。
【００１７】
請求項８に係る本発明（例えば図１及び図２参照）は、前記ワープ導入口（１７）及び前記第１回転部材（２０，２１）が、前記遊技球ステージ（Ｓ）の左右両側に夫々設けられてなる、
ことを特徴とする請求項１ないし７のうち何れか１項に記載の遊技機（１）にある。
【００１８】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１９】
請求項１に係る本発明によると、遊技球ステージ上で転動する遊技球が第１回転部材の磁石に吸着された場合、当該遊技球は、回転する第１回転部材と共に移動した後所定解放位置で解放され、回転駆動機構によって同期させられて所定受入れ位置に到達した第２回転部材の遊技球特定導入部に速やかに導入されて始動チャッカーに比較的高い入球率で入球される。従って、同種のステージを備えた遊技機ではどの台で遊技する場合であっても、第１回転部材の磁石に吸着されて所定解放位置で解放されるという特定条件下の遊技球を、比較的高い入球率（例えば、９７〜９９％(略１００％)）で始動チャッカーに入球させることができ、始動チャッカーへの入球率が所謂ステージのクセに起因してステージ毎に異なるような従来の問題点を解消することができる。
【００２０】
請求項２に係る本発明によると、磁石で第１回転部材に吸着した遊技球を所定解放位置で遊技球落下部材によって落下させるという簡単な構成により、遊技球の解放に同期して所定受入れ位置に到達する遊技球特定導入部への確実な遊技球導入を実現することができる。また、第１回転部材に固定する磁石の個数を変更することにより、遊技球ステージの特性を簡易に変更することができる。
【００２１】
請求項３に係る本発明によると、遊技球落下部材が、磁石によって第１回転部材の下側に吸着された遊技球を落下させる第１落下部材と、磁石によって第１回転部材の上側に吸着された遊技球を落下させる第２落下部材とを備えるので、第１回転部材の上側、下側のいずれに遊技球が吸着された場合であっても、始動チャッカーに比較的高い入球率で入球させ得る入球構造を実現することができる。
【００２２】
請求項４に係る本発明によると、ステージ床面に、所定解放位置で解放された遊技球を第２回転部材の遊技球特定導入部に案内するガイドリブが設けられるので、所定条件下の遊技球をより確実に遊技球特定導入部に案内する構造を簡便に得ることができる。
【００２３】
請求項５に係る本発明によると、始動チャッカーに遊技球を導く遊技球導入路を第２回転部材の下側に有し、遊技球特定導入部が、遊技球導入路に連通する連通孔を備えるので、連通孔を形成した第２回転部材を遊技球導入路上に設けるだけの構成により、始動チャッカーに遊技球を的確に導入し得る遊技球特定導入部を簡便に得ることができる。
【００２４】
請求項６に係る本発明によると、回転駆動機構が、第１回転部材に連結された第１歯車と、第２回転部材に連結された第２歯車と、第１歯車及び第２歯車を所定のギヤ比にて連動連結する第３歯車と、第１ないし第３歯車に回転力を付与する駆動モータとを備えるので、磁石が所定解放位置に到達するタイミングと遊技球特定導入部が所定受入れ位置に到達するタイミングとを確実に同期させ得る動力伝達構造を比較的簡素な構成によって実現できると共に、ギヤ比の設定を変えることにより遊技球ステージの特性を簡易に変更することが可能になる。
【００２５】
請求項７に係る本発明によると、ステージ床面が、第１回転部材側から第２回転部材側に向かって下降するように傾斜されているので、所定解放位置で解放された遊技球を、所定受入れ位置に移動した遊技球特定導入部に、より確実に導入することができる。
【００２６】
請求項８に係る本発明によると、ワープ導入口及び第１回転部材が、遊技球ステージの左右両側に夫々設けられるので、遊技盤面部に打ち出された遊技球をバランス良く始動チャッカーに入球させ得る構造を実現することができる。
【発明を実施するための最良の形態】
【００２７】
以下、本発明に係る遊技機の実施形態として、遊技場等に設置されるパチンコ機を図１ないし図１３に沿って説明する。
【００２８】
なお、図１は本実施形態におけるパチンコ機の外部構造を示す正面図、図２は本実施形態の遊技球ステージを有するステージユニット（センター飾り）を単体で示す斜視図、図３はステージユニットの底板を示す斜視図、図４はステージユニットをその略々中央部で縦方向に断面した状態で示す断面図、図５はステージユニットを横方向（左右方向）に断面して遊技球ステージを上方から見た状態で示す平面図、図６は図５の遊技球ステージを一部構成を除去した状態で示す平面図、図７は遊技球ステージの動力伝達機構を斜め下方から見た状態で示す斜視図、図８は遊技球ステージ上で遊技球が保持されて所定解放位置に運ばれる様子を説明するための平面図、図９は遊技球ステージ上で遊技球が所定解放位置から振り分け機構に移動する状態を説明するための平面図、図１０は遊技球ステージ上で遊技球が所定解放位置から振り分け機構に移動する際の別の状態を説明するための平面図、図１１は遊技球ステージ上で遊技球が磁石に吸着されずにステージ下方に落下する様子を説明するための平面図、図１２は遊技球ステージから一旦落下した遊技球が再度当該ステージ上に戻って回転円板上に吸着される状態を示す平面図、図１３は遊技球ステージ上で回転円板の上面に吸着された遊技球が所定解放位置から振り分け機構に移動する際の様子を説明するための平面図である。
【００２９】
本パチンコ機１は、後述の発射ハンドル９の操作による発射装置（図示せず）の作動で遊技球（所謂パチンコ玉）を遊技盤面部７上に打ち出しつつ遊技を行うもので、所謂確率変動等の大当たりが発生した状態でアタッカー（大入賞口）１１（図１参照）に入球した遊技球に対応する数の遊技球を払い出すように構成されている。上記確率変動（確変当たり）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００３０】
図１に示すように、本パチンコ機１は、枠体状の筐体２と、筐体２に開閉可能に装着された前扉３とを有しており、前扉３の前面には、透明ガラス（図示せず）を有するガラス枠５が開閉可能に取付けられており、透明ガラスの奥側には遊技盤面部７が配置されている。ガラス枠５における遊技盤面部７の左右及び上部には演出用照明装置６４が配置されており、前扉３における上部左右及び下部には夫々、スピーカ（図示せず）を有する放音装置８が配置されている。また、ガラス枠５における中央部右方には、前扉３を筐体２側に施錠又は解放するための施錠装置４が配置されている。なお、図１中の符号４９は、不図示の発射装置によって打ち出された遊技球を遊技盤面部７側に案内するガイドレールを示している。
【００３１】
前扉３における下部中央には皿ユニット１３が設けられており、皿ユニット１３における右上部には、賞球及び貸球を含む遊技球が供給される球供給口１８が設けられ、皿ユニット１３における左上部壁面には、球貸ボタン１４ａ及びプリペイドカード返却ボタン１４ｂが設けられている。皿ユニット１３の中央部には、該皿ユニット１３上の遊技球を球発射装置（図示せず）付近から皿ユニット下部の球排出口（図示せず）を通して下方に排出するための第１球抜きボタン２２ａと、皿ユニット１３上の遊技球を球供給口１８付近から上記球排出口を通して下方に排出するための第２球抜きボタン２２ｂとが配置されている。また、前扉３における皿ユニット１３の右側下方には、上記球発射装置を操作して遊技球を遊技盤面部７に向けて打ち出すための発射ハンドル９が設けられている。更に、皿ユニット１３の下部左方には、灰皿２４とチャンスボタン４７とが配置されている。
【００３２】
上記遊技盤面部７の略中央部には、遊技球ステージＳを有するステージユニット６と、遊技球ステージＳの下方に位置して上方に開口する始動チャッカー（特別図柄始動口）１０とが配置されている。この始動チャッカー１０に入球した際、不図示の主制御基板（主基板）に実装されたＲＯＭ装置の抽選機能による当たり抽選が行われると共に、後述の液晶表示パネル（図柄表示装置）５１が始動する。上記遊技球ステージＳは、遊技盤面部７の左右両側中央部にワープ導入口１７を具備して、主に該ワープ導入口１７からの遊技球（図２の符号Ｂａ参照）を受けるように構成されている。ステージユニット６は、遊技球ステージＳの上部に開口部１６を有しており、この開口部１６には、遊技盤面部７にその背面側から装着された上記液晶表示パネル５１が露出している。
【００３３】
なお、本実施形態における「ワープ導入」という語句は、遊技盤面部７に打ち出された遊技球を、当該遊技盤面部７の比較的下側に位置する不図示の道釘等を経ることなく、始動チャッカー１０の上に導くことを意味する概念である。また、上記「道釘」とは、遊技盤面部７において始動チャッカー１０左右に打ち込まれた複数本の障害釘（図示せず）の列を意味するもので、上方から転動落下してきた遊技球を始動チャッカー１０方向に導く役割を担っている。
【００３４】
また、始動チャッカー１０の左右には通常入球口１５が配置され、且つ始動チャッカー１０の下方には、上記アタッカー１１が配置されている。そして、これら始動チャッカー１０、通常入球口１５及び始動チャッカー１０の周囲の遊技盤面上には、遊技球ステージＳから零れた遊技球や、発射されてから遊技球ステージＳに関与せずに落下してくる遊技球を適宜散らし、或いは入球に導くようにするための多数の障害釘（図示せず）が打ち込まれている。また、ワープ導入口１７の周囲及びその上方側にも、遊技球を適宜散らし、或いは入球に導くようにするための多数の障害釘（図示せず）が打ち込まれている。なお、図中の符号１２は、遊技盤面部７上における入球可能な何れの箇所にも入球し得なかった遊技球Ｂａを遊技盤面部７裏面側に排出する球排出口を示し、符号４８は、ワープ導入口１７から入球した遊技球Ｂａを遊技球ステージＳに案内する球案内路である。このような本パチンコ機１では、遊技盤面部７に打ち出された遊技球Ｂａを始動チャッカー１０等に、遊技球ステージＳを介して入球させ又は遊技球ステージＳを介さず直接に入球させ得るように遊技が進められる。
【００３５】
そしてステージユニット６は、図２に示すように、全体的に略筒状を呈しており、外周縁部の複数箇所に設けられたブラケット部２９，３０に夫々穿設された貫通孔２８に挿通されたネジ（図示せず）により、遊技盤面部７に固定されている。ステージユニット６の遊技球ステージＳは、開口部１６の下側縁部の前側（図１，図２の紙面手前側）にて左右方向に延在するステージ床面２５と、このステージ床面２５の左右に配置された遊技球保持解放機構６０ａ，６０ｂと、これら両保持解放機構６０ａ，６０ｂの間に配置された遊技球振り分け機構６３と、両保持解放機構６０ａ，６０ｂ及び遊技球振り分け機構６３の間に介在された回転駆動機構６２（図７参照）と、を備えている。
【００３６】
ステージユニット６は更に、図２及び図４に示すように、左右夫々のワープ導入口１７から導入されて左右夫々の球案内路４８内を転動してくる遊技球Ｂａを、ステージ床面２５上における遊技球保持解放機構６０ａ，６０ｂの回転プレート（第１回転部材）２０，２１の下部付近に放出する球放出口４８ａを有している。またステージユニット６は、遊技球保持解放機構６０ａ，６０ｂから回転円盤部材（第２回転部材）１９に向けてガイドリブ５２により案内されてくる遊技球Ｂａが回転円盤部材１９の遊技球特定導入部１９ａを通過し落下したとき、当該遊技球Ｂａを始動チャッカー１０に向けて放出（図２の符号Ｂａ３参照）する球放出口２７を有している。遊技球保持解放機構６０ａ，６０ｂの回転プレート２０，２１の上部近傍には、後述する遊技球落下部材２３が夫々配置されている。なお、図２の符号Ｂａ１は、遊技盤面部７に打ち出された後、ワープ導入口１７に導入されることなく転動落下し、始動チャッカー１０からその左右方向に配列された所謂道釘（図示せず）で弾かれて遊技球ステージＳに導入されようとしている遊技球を示している。
【００３７】
上記遊技球保持解放機構６０ａは、所定部に備えた磁石Ｍｇをステージ床面２５に対向させつつ一定速度で連続回転し、磁石Ｍｇによって吸着した遊技球Ｂａを所定解放位置で解放する上記回転プレート２０を備えている。上記遊技球保持解放機構６０ｂは、所定部に備えた磁石Ｍｇをステージ床面２５に対向させつつ一定速度で連続回転し、磁石Ｍｇによって吸着した遊技球Ｂａを所定解放位置で解放する上記回転プレート２１を備えている。ステージ床面２５は、回転プレート２０，２１から回転円盤部材１９に向かって下降するようにやや傾斜して形成されている。これにより、所定解放位置で解放された遊技球Ｂａが、所定受入れ位置に移動した球落下孔１９ａに、より確実に導入され得る。
【００３８】
上記遊技球振り分け機構６３は、回転プレート２０，２１に同期した形で一定速度で連続回転し、所定解放位置で解放された遊技球Ｂａを、所定受入れ位置に移動した球落下孔（遊技球特定導入部）１９ａに導入して始動チャッカー１０に比較的高い入球率（例えば、９７〜９９％(略１００％)）で入球させ（図２の符号Ｂａ３参照）、所定解放位置での解放に関与しない遊技球Ｂａを有底の遊技球放出部１９ｂで受け入れて、始動チャッカー１０とは異なる方向に放出（図２の符号Ｂａ２参照）してなる上記回転円盤部材１９を備えている。
【００３９】
上記回転駆動機構６２は、図７に示すように、支持プレート３１を有しており、支持プレート３１の下面には、その中央部に平歯車（第２歯車）４０が回転軸４０ａを回転自在に支持され、平歯車４０の左右に平歯車（第３歯車）４１，４３が各回転軸４１ａ，４３ａを夫々回転自在に支持されている。そして、平歯車４０と平歯車４３との間には、回転軸４２ａを回転自在に支持された平歯車（第３歯車）４２が介在して両平歯車４０，４３に噛合している。平歯車４３の下面には、フェースギヤ４４が同軸状に設けられている。支持プレート３１には駆動モータ３５が固定されており、駆動モータ３５の回転を減速機構６５を介して伝達されるピニオンギヤ３６が上記フェースギヤ４４に噛合している。また、平歯車４０は、その上面に固定された回転円盤部材１９の球落下孔１９ａに合致する球落下孔４０ｂを有している。なお、上記フェースギヤ４４及びピニオンギヤ３６の各歯面は、便宜上図示を省略している。
【００４０】
また、支持プレート３１における左右端部には、回転プレート２０，２１の各回転軸３８ａ，３９ａが回転自在に支持されており、回転軸３８ａ，３９ａの支持プレート３１から下方に突出した部分には、平歯車３８，３９（第１歯車）が夫々固定されている。これら平歯車３８，３９は、平歯車４１，４３に夫々噛合している。また回転プレート２０，２１は、夫々略楕円形の鍔状に形成されており、裏面における回転軸３８ａを挟んだ長径の両端部分には磁石Ｍｇ，Ｍｇが夫々固定されている。つまり、回転プレート２０，２１は、回転軸３８ａ，３９ａを中心とする所定角度間隔（本実施形態では１８０°間隔）で磁石Ｂａが固定されており、磁石Ｍｇにて吸着した遊技球Ｂａを所定解放位置で遊技球落下部材３２，２３によって落下させられるように構成されている。
【００４１】
上記構成を有する回転駆動機構６２では、駆動モータ３５が所定の方向に回転駆動した際、その回転は、ピニオンギヤ３６、フェースギヤ４４及び平歯車４３を介して平歯車３９，４２に夫々伝達され、回転プレート２１を矢印Ｂ方向に回転させると同時に、平歯車４２を介して平歯車４０を矢印Ｃ方向に回転させつつ平歯車４１、３８を介して回転プレート２０を矢印Ａ方向に回転させる。当該回転駆動機構６２では、回転プレート２０，２１に夫々固定された磁石Ｍｇが後述の所定解放位置に到達するタイミングと、遊技球特定導入部である球落下孔１９ａが後述の所定受入れ位置に到達するタイミングとを同期させて回転プレート２０，２１及び回転円盤部材１９の双方を回転駆動し得るように、平歯車４１，４２，４３によって平歯車３８，３９及び平歯車４０を所定のギヤ比にて連動連結している。
【００４２】
また、図４に示すように、ステージユニット６は、遊技球ステージＳの下部に底部材２６を固定して有している。この底部材２６は、図３を併せて参照すると理解できるように、回転円盤部材１９の回転軸４０ａの下端部が嵌合する嵌合部３３ａを中央部に有し、嵌合部３３ａに回転軸４０ａを嵌合した回転円盤部材１９の下側に位置するように、始動チャッカー１０に遊技球Ｂａを導く遊技球導入路３３が嵌合部３３ａ周囲に形成されている。回転円盤部材１９は、遊技球導入路３３に連通する連通孔１９ａを遊技球特定導入部として備えている。底部材２６における遊技球導入路３３の前側には、球放出口２７の下側を区画する底面２７ａが形成されており、遊技球導入路３３において嵌合部３３ａを挟んだ底面２７ａと反対側には、突起部３３ｂが形成されている。また底部材２６は、遊技球導入路３３の左右に夫々、回転駆動機構６２の平歯車４１の回転軸４１ａ（図７参照）の下端部を嵌合する嵌合ボス部２６ａと、平歯車４３の回転軸４３ａ（図７参照）の下端部を嵌合する嵌合ボス部２６ｂと、平歯車４２の回転軸４２ａ（図７参照）の下端部を嵌合する嵌合ボス部２６ｃと、を有している。
【００４３】
ついで、図５ないし図１３を参照して、ステージ床面２５上の他の構成について説明する。すなわち、ステージ床面２５上には、中央部に回転円盤部材１９が配置されると共に、該回転円盤部材１９の左右には夫々所定の間隔をあけて回転プレート２０，２１が夫々配置されている。これら回転円盤部材１９及び回転プレート２０，２１は、ステージ床面２５に長さ方向（例えば図５の左右方向）に一直線状に並ぶように設けられている。
【００４４】
回転プレート２０，２１が磁石Ｍｇで吸着保持した遊技球Ｂａを解放すべき上記所定解放位置に対応するように、当該遊技球Ｂａをステージ床面２５に落下させるための遊技球落下部材３２，２３が回転プレート２０，２１の下方及び上方に位置して夫々設けられている。遊技球落下部材３２は、回転プレート２０，２１の回転軸３８ａ，３９ａからステージ床面２５の奥側に延在するように形成されている（図１１参照）。またステージ床面２５の左右端部には、左右の球放出口４８ａから放出される遊技球Ｂａを遊技球落下部材３２に向かわせるためのガイドリブ５８が夫々形成されている。
【００４５】
ガイドリブ５８は、図１１を参照すると理解できるように、回転軸３８ａから延びる遊技球落下部材３２に当接した遊技球Ｂａをステージ床面２５の前側（図１１の下方）に導くように、前側にやや屈曲して形成されている。このようなガイドリブ５８と遊技球落下部材３２とに当接・案内された遊技球Ｂａ６は更に、ステージ床面２５の前側左右端に形成された傾斜案内部５９に案内されて転動する。ここで、回転プレート２０（又は２１）の磁石Ｍｇにて吸着されない場合、遊技球Ｂａ６は、図１１中の矢印Ｌで示すように転動し、球放出口２７の左右にてステージ床面２５前側に向かってやや傾斜する傾斜面５７ａ（又は５７ｂ）に沿って遊技球ステージＳ下方に落下させられる。
【００４６】
更に、回転プレート２０，２１の下方における遊技球落下部材３２の中央部近傍（図１１参照）から回転円盤部材１９に向かって延在するようにガイドリブ５２が夫々設けられている。当該ガイドリブ５２は、上記所定解放位置で解放された遊技球Ｂａを回転円盤部材１９の球落下孔（遊技球特定導入部）１９ａに案内する。なお、図１１には、左側のガイドリブ５８，５２、遊技球落下部材３２、傾斜面５７ａ及び傾斜案内部５９のみを図示しているが、これらは右側においても同様の構成を備えていることは勿論である。
【００４７】
図５及び図６に示すように、左右の回転プレート２０，２１から夫々延びるガイドリブ５２の各先端部と回転円盤部材１９との間には所定の隙間５４ａ，５５ａが夫々設けられており、ガイドリブ５２に案内されて隙間５４ａ，５５ａに至る遊技球案内路５４，５５が形成されている。また、図８に示すように、球放出口４８ａから放出されて矢印Ｄ方向に転動して遊技球落下部材３２に当接して進路を矢印Ｅ方向に変えた遊技球Ｂａが、その移動方向にタイミング良く位置していた回転プレート２０の何れかの磁石Ｍｇに吸着された場合、この遊技球Ｂａは回転プレート２０に保持されたまま、遊技球落下部材３２が配置された所定解放位置に移動した時点で払い落とされ、ガイドリブ５２に沿って遊技球案内路５４を転動し、隙間５４ａを回転円盤部材１９側に越えたとき、これにタイミングを合わせて遊技球案内路５４側に向いて位置する回転円盤部材１９の球落下孔１９ａに確実に導入される。これは、ステージ床面２５の反対に位置する回転プレート２１側においても同様に行われる。
【００４８】
図５に示すように、回転プレート２０，２１は、下面に固定された磁石Ｍｇに対向する上面に球受け皿部４５，４６を夫々有している。これら球受け皿部４５，４６には夫々、下面側に位置する磁石Ｍｇの磁力が及んでいるため、球受け皿部４５，４６にタイミング良く遊技球Ｂａが乗った場合、当該遊技球Ｂａは球受け皿部４５，４６に吸着保持されることとなる。また、ステージ床面２５奥側における回転プレート２０，２１の上方には、遊技球落下面２３ａを有する遊技球落下部材２３が夫々配置されている。回転プレート２０，２１の磁石Ｍｇで吸着保持されて遊技球落下面２３ａで払い落とされた遊技球Ｂａは、下方のガイドリブ５２に案内されて遊技球案内路５４，５５を転動し、隙間５４ａ，５５ａを回転円盤部材１９側に越えたとき、これにタイミングを合わせて遊技球案内路５４，５５側に向いて位置する回転円盤部材１９の球落下孔１９ａに確実に導入される。
【００４９】
なお、上記遊技球落下部材３２は、磁石Ｍｇによって回転プレート２０，２１の下側に吸着された遊技球Ｂａを落下させる第１落下部材を構成し、遊技球落下部材２３は、磁石Ｍｇによって回転プレート２０，２１の上側に吸着された遊技球Ｂａを落下させる第２落下部材を構成している。
【００５０】
したがって、以上の本実施形態におけるパチンコ機１では、皿ユニット１３上に遊技球Ｂａが滞留している状態にて、遊技者が発射ハンドル９を握って図１の時計回り方向に適宜の角度回動させて保持すると、不図示の発射装置の作動によって遊技球Ｂａが遊技盤面部７に向けて打ち出される。すると、ガイドレール４９から遊技盤面部７上に放出された多数の遊技球Ｂａのうち、一部がワープ導入口１７から入球される。この際、遊技球ステージＳでは、不図示の電源からの電力供給を受けて駆動モータ３５が回転駆動し、その回転力に基づき、回転プレート２０，２１が夫々図５矢印Ａ方向及びＢ方向に、回転円盤部材１９が同図矢印Ｃ方向に一定速度で連続回転している。当該遊技球ステージＳ上での各部材の回転動作は、遊技場の係員が開店に先立って電源をオン（ＯＮ）した時点から続けられている。
【００５１】
そして、左右何れかのワープ導入口１７から導入された遊技球Ｂａは、球案内路４８を通って放出口４８ａからステージ床面２５上に放出されて、図８に示すように、ガイドリブ５８に沿って転動して遊技球落下部材３２に当接し、進路を矢印Ｅ方向に変えた際に、回転プレート２０（又は２１）の磁石Ｍｇがタイミング良く同図の位置に来ている場合、この磁石Ｍｇの下方を通過しようとする遊技球Ｂａが当該磁石Ｍｇに吸着されて保持される。このとき、回転プレート２０（又は２１）は矢印Ａ方向に回転しているので、遊技球Ｂａは吸着保持されたまま遊技球落下部材３２に向かって移動し、遊技球落下部材３２に当接する所定解放位置において当該遊技球落下部材３２にて払い落とされる。
【００５２】
これにより遊技球Ｂａは、図９中のＢａ１４で示すように、ガイドリブ５２に沿って遊技球案内路５４（又は５５）を転動し、隙間５４ａ（又は５５ａ）を越えて回転円盤部材１９側に到達する（図９中のＢａ１５）。このとき回転円盤部材１９は、回転駆動機構６２における所定のギヤ比設定により、遊技球特定導入部である球落下孔１９ａを隙間５４ａ（又は５５ａ）に対向させる所定受入れ位置に達しているので、転動してくる遊技球Ｂａ１５は、当該球落下孔１９ａに確実に導入される。そして、当該遊技球Ｂａ１５は、球落下孔１９ａから球落下孔４０ｂを通って遊技球導入路３３に落下し（図４参照）、該遊技球導入路３３内を転動して、図９中のＢａ１３で示すように矢印Ｇ方向に放出されて落下し、その下方に位置する始動チャッカー１０に略々確実に入球する。
【００５３】
この際、例えば回転プレート２０（又は２１）における反対側の磁石Ｍｇに遊技球Ｂａ１２（図１０参照）が吸着保持されていると、当該遊技球Ｂａは、上記遊技球Ｂａ１４と同様、遊技球落下部材３２で払い落とされて矢印Ｆ方向に向かうが、この場合、回転円盤部材１９に１箇所のみ設けられた球落下孔１９ａは図１０に示す位置に移動しているため、遊技球放出部１９ｂに導入されることになる。この遊技球放出部１９ｂは、球落下孔１９ａのように遊技球導入路３３に連通するものでなく、比較的浅く形成された有底の凹部であるため、回転円盤部材１９が矢印Ｃ方向に若干量回転した時点で、遊技球Ｂａ１２は矢印Ｈで示すように傾斜面５７ａ（又は５７ｂ）側に転がり出し、始動チャッカー１０とは異なる方向に落下することになる（符号Ｂａ５参照）。このような現象を無くするため、このタイミングで当該位置に到達し得る遊技球放出部１９ｂの底部を遊技球導入路３３側に貫通して球落下孔１９ａとして構成することもできる。その場合、２箇所の球落下孔１９ａが２箇所の磁石Ｍｇに夫々対応して回転移動するので、いずれの磁石Ｍｇから遊技球Ｂａが解放されてきても始動チャッカー１０側に的確に導き得る構成が実現する。
【００５４】
一方、上述のように放出口４８ａからステージ床面２５上に放出されて遊技球落下部材３２に当接して進路を矢印Ｅ方向（図８参照）に変えた際、回転プレート２０（又は２１）の磁石Ｍｇが図８の位置に来ていない場合、或いは、タイミング良く図８の位置に来ていても遊技球Ｂａが磁石Ｍｇに吸着されなかった場合には、図１１に示す遊技球Ｂａ６のように、傾斜案内部５９に案内されて同図矢印Ｌ方向に転動し、傾斜面５７ａ（又は５７ｂ）に沿って遊技球ステージＳ下方に落下させられる（同図のＢａ７参照）。
【００５５】
なお、落下した上記遊技球Ｂａ５，Ｂａ７は、その落下方向が、始動チャッカー１０上の所謂命釘（図示せず）の間を通過して入球し得る方向とは異なるが、当該命釘の左右に打ち込まれた所謂ジャンプ釘（図示せず）や、当該ジャンプ釘から左右方向に配列された所謂道釘（図示せず）で弾かれることにより、命釘に絡んでその間を落下し始動チャッカー１０に入球することもある。
【００５６】
また、遊技球ステージＳ上には、ワープ導入口１７から入球した遊技球Ｂａに限らず、遊技球ステージＳの下方に列状に配列された上記道釘等の障害釘で弾き返された遊技球Ｂａが落下することもある。その場合、この遊技球Ｂａが遊技球案内路５４（又は５５）上に落下して図１０矢印Ｆ方向に転動したとしても、当該遊技球Ｂａは遊技球落下部材３２の所定解放位置で解放された場合とは異なるタイミングで回転円盤部材１９側に向かうため、球落下孔１９ａが偶然的に所定受入れ位置に達しない限りは球落下孔１９ａに導入されることはない。球落下孔１９ａに導入されない遊技球Ｂａは、遊技球放出部１９ｂに入った後、回転円盤部材１９の回転に伴って図１０矢印Ｈ方向に放出されることになる。
【００５７】
また例えば、図１２に示すように、一旦落下した後、矢印Ｉ方向に弾き返されてきた遊技球Ｂａ１０が、回転プレート２１の上側の球受け皿部４６（図５，図６参照）に、又は下側の磁石Ｍｇに吸着保持された場合（図１２の符号Ｂａ１１参照）、当該遊技球Ｂａ１１は、矢印Ｊ方向に回転する回転プレート２１と共に回転移動する。そして、図１３に示すように、上側に保持されて（Ｂａ８）、遊技球落下部材２４の遊技球落下面２４ａによって斜め奥方向（矢印Ｋ方向）に払い落とされ、ガイドリブ５２に沿って回転円盤部材１９側に転動する。また、下側に保持された場合、遊技球Ｂａ８は、遊技球落下部材３２（図１３では不図示）によって払い落とされ、ガイドリブ５２に沿って回転円盤部材１９側に転動する。これらの遊技球Ｂａは、タイミング良く所定受入れ位置に移動している球落下孔１９ａに導入され、球放出口２７を経由して始動チャッカー１０に高い入球率で入球されることになる。
【００５８】
以上の本実施形態によれば、磁石Ｍｇにて吸着した遊技球Ｂａを所定解放位置で解放する回転プレート２０，２１を有する遊技球保持解放機構６０ａ，６０ｂと、所定解放位置で解放された遊技球Ｂａを所定受入れ位置の球落下孔１９ａに導入して始動チャッカー１０に比較的高い入球率で入球させ、所定解放位置での解放に関与しない遊技球Ｂａを遊技球放出部１９ｂで受け入れて始動チャッカー１０とは異なる方向に放出する回転円盤部材１９を有する遊技球振り分け機構６３と、磁石Ｍｇが所定解放位置に到達するタイミングと球落下孔１９ａが所定受入れ位置に到達するタイミングとを同期させるべく回転プレート２０，２１及び回転円盤部材１９を回転駆動する回転駆動機構６２とを備えるので、遊技球ステージＳ上で転動する遊技球Ｂａが回転プレート２０，２１の磁石Ｍｇに吸着された場合、当該遊技球Ｂａは、回転する回転プレート２０，２１と共に移動した後、所定解放位置で解放され、回転駆動機構６２によって同期させられて所定受入れ位置に到達した回転円盤部材１９の球落下孔１９ａに速やかに導入されて始動チャッカー１０に比較的高い入球率で入球されることになる。
【００５９】
従って、同種のステージを備えたパチンコ機１ではどの台で遊技する場合であっても、回転プレート２０，２１の磁石Ｍｇに吸着されて所定解放位置で解放されるという特定条件下の遊技球Ｂａを、比較的高い入球率（例えば、９７〜９９％(略１００％)）で始動チャッカー１０に入球させることができ、始動チャッカー１０への入球率が所謂ステージのクセに起因してステージ毎に異なるような従来の問題点を解消することができる。
【００６０】
また、磁石Ｍｇで回転プレート２０，２１に吸着した遊技球Ｂａを所定解放位置で遊技球落下部材３２，２３によって落下させるという簡単な構成により、遊技球Ｂａの解放に同期して所定受入れ位置に到達する球落下孔１９ａへの確実な遊技球導入を実現することができる。また、回転プレート２０，２１に固定する磁石Ｍｇの個数を変更することにより、遊技球ステージＳの特性を簡易に変更することができる。
【００６１】
更に、遊技球落下部材３２が、磁石Ｍｇによって回転プレート２０，２１の下側に吸着された遊技球Ｂａを落下させる第１落下部材として構成され、また遊技球落下部材２３が、磁石によって回転プレート２０，２１の上側に吸着された遊技球Ｂａを落下させる第２落下部材として構成されるので、回転プレート２０，２１の上側、下側のいずれに遊技球Ｂａが吸着された場合であっても、始動チャッカー１０に比較的高い入球率で入球させ得る入球構造を実現することができる。
【００６２】
また、ステージ床面２５に、所定解放位置で解放された遊技球Ｂａを回転円盤部材１９の遊技球特定導入部（１９ａ）に案内するガイドリブ５２が設けられているので、所定条件下の遊技球Ｂａをより確実に球落下孔１９ａに案内する構造を得ることができる。更に、始動チャッカー１０に遊技球Ｂａを導く遊技球導入路３３を回転円盤部材１９の下側に有し、遊技球特定導入部が、遊技球導入路３３に連通する連通孔である球落下孔１９ａを備えるので、球落下孔１９ａを形成した回転円盤部材１９を遊技球導入路３３上に設けるだけの構成により、始動チャッカー１０に遊技球Ｂａを的確に導入し得る遊技球特定導入部を簡便に得ることができる。
【００６３】
そして、回転駆動機構６２が、回転プレート２０，２１に連結された平歯車３８，３９と、回転円盤部材１９に連結された平歯車４０と、平歯車３８，３９及び平歯車４０を所定のギヤ比にて連動連結する平歯車４１，４２，４３と、平歯車３８〜４３に回転力を付与する駆動モータ３５とを備えるので、磁石Ｍｇが所定解放位置に到達するタイミングと球落下孔（遊技球特定導入部）１９ａが所定受入れ位置に到達するタイミングとを確実に同期させ得る動力伝達構造を比較的簡素な構成によって実現できると共に、ギヤ比の設定を変えることにより遊技球ステージＳの特性を簡易に変更することが可能になる。また、ワープ導入口１７及び回転プレート２０，２１が、遊技球ステージＳの左右両側に夫々設けられているので、遊技盤面部７に打ち出された遊技球Ｂａをバランス良く始動チャッカー１０に入球させ得る構造を実現することができる。
【００６４】
なお、本実施の形態では、回転プレート２０，２１を回転円盤部材１９の左右両側に配置していたが、これに限らず、当該回転プレートを左右一側に配置するだけの構成とすることも可能であり、その場合も本実施形態と略々同様の作用効果が得られる。
【００６５】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００６６】
【図１】本発明に係る実施形態のパチンコ機の外部構造を示す正面図である。
【図２】本実施形態の遊技球ステージを有するステージユニットを単体で示す斜視図である。
【図３】ステージユニットの底板を示す斜視図である。
【図４】ステージユニットを略々中央部で縦方向に断面した状態で示す断面図である。
【図５】ステージユニットを横方向に断面して遊技球ステージを上方から見た状態で示す平面図である。
【図６】図５の遊技球ステージを一部構成を除去した状態で示す平面図である。
【図７】遊技球ステージの動力伝達機構を斜め下方から見た状態で示す斜視図である。
【図８】遊技球ステージ上で遊技球が保持されて所定解放位置に運ばれる様子を説明するための平面図である。
【図９】遊技球ステージ上で遊技球が所定解放位置から振り分け機構に移動する状態を説明するための平面図である。
【図１０】遊技球ステージ上で遊技球が所定解放位置から振り分け機構に移動する際の別の状態を説明するための平面図である。
【図１１】遊技球ステージ上で遊技球が磁石に吸着されずにステージ下方に落下する様子を説明するための平面図である。
【図１２】遊技球ステージから一旦落下した遊技球が再度ステージ上に戻って回転円板上に吸着される状態を示す平面図である。
【図１３】遊技球ステージ上で回転円板の上面に吸着された遊技球が所定解放位置から振り分け機構に移動する際の様子を説明するための平面図である。
【符号の説明】
【００６７】
１…パチンコ機（遊技機）
６…ステージユニット
７…遊技盤面部
１０…始動チャッカー
１７…ワープ導入口
１９…回転円盤部材（第２回転部材）
１９ａ…球落下孔（遊技球特定導入部）
２０，２１…回転プレート（第１回転部材）
２３…遊技球落下部材（第２落下部材）
２５…ステージ床面
３２…遊技球落下部材（第１落下部材）
３３…遊技球導入路
３５…駆動モータ
３８，３９…平歯車（第１歯車）
３８ａ，３９ａ…回転軸
４０…平歯車（第２歯車）
４１，４２，４３…平歯車（第３歯車）
５２…ガイドリブ
６０ａ，６０ｂ…遊技球保持解放機構
６２…回転駆動機構
６３…遊技球振り分け機構
Ｂａ…遊技球
Ｍｇ…磁石
Ｓ…遊技球ステージ
【図１】
2005270404.tif 000003
【図２】
2005270404.tif 000004
【図３】
2005270404.tif 000005
【図４】
2005270404.tif 000006
【図５】
2005270404.tif 000007
【図６】
2005270404.tif 000008
【図７】
2005270404.tif 000009
【図８】
2005270404.tif 000010
【図９】
2005270404.tif 000011
【図１０】
2005270404.tif 000012
【図１１】
2005270404.tif 000013
【図１２】
2005270404.tif 000014
【図１３】
2005270404.tif 000015